(57)【要約】【課題】各種電子機器の操作部分などに搭載され、回転操作によって操作される回転型電子部品に関し、従来のものよりも外形が小型化できる接点構成となされたものを提供する。【解決手段】ケース２１の凹部内底面に接点パターン部２６を配設し、その接点パターン部２６上を弾接摺動する第一弾性接点５２と５３を備えた回転接点体５１に、カバー３１下面に常時弾接摺動する第二弾性接点５４を設けると共に、カバー３１に端子部３４を設け、この端子部３４をコモン用として、接点パターン部２６を構成する各固定接点２２〜２５との導通状態で出力を得る構成としたため、接点パターン部２６内にコモン用パターンを配設せずともよく、接点パターン部２６の径の小型化、つまり製品外形の小型化が図れる。【選択図】図１
2005285600.tif 000002
【特許請求の範囲】
【請求項１】
凹部を備えた絶縁性のケースと、上記ケースの凹部上を覆う金属製のカバーと、上記ケースの凹部内に固定状態で構成された接点パターン部と、上記ケースの凹部内に回転可能に配された回転接点体とを備え、上記回転接点体は、上記接点パターン部に係合する第一弾性接点および、その第一弾性接点に電気的導通状態で上記カバーの下面に常時弾接する第二弾性接点を備え、上記回転接点体の回転で、上記第一弾性接点の上記接点パターン部への係合位置が変わり、上記接点パターン部に接続された導出部と上記カバーに構成された端子部との間で出力状態が検出できる回転型電子部品。
【請求項２】
接点パターン部がケースの凹部の内底面に配されると共に、複数の第一弾性接点と第二弾性接点とが、同一径の位置で弾接する設定とされた請求項１記載の回転型電子部品。
【請求項３】
接点パターン部が、導出部を有する導電部、絶縁部の繰り返しで構成され、回転操作に伴い、二つの第一弾性接点の内、一方が一つの導電部上に弾接し、他方がその一つの導電部に対し回転操作方向とは逆の後方側に隣り合う絶縁部に弾接した状態から、上記二つの第一弾性接点が上記一つの導電部上に弾接した状態となり、さらに回転操作すると、上記第一弾性接点の他方は上記一つの導電部上に弾接した状態を維持し、先に上記一つの導電部上に弾接していた上記第一弾性接点の一方が、上記一つの導電部に対し回転操作方向の前方側に隣り合う絶縁部に弾接した状態に移行する接点部分の構成とされた請求項２記載の回転型電子部品。
【請求項４】
カバーは、第二弾性接点の摺動する円周上に窪みを有し、上記窪み上を上記第二弾性接点が摺動する際、節度感触が得られる構成とされた請求項１記載の回転型電子部品。
【発明の詳細な説明】
【技術分野】
【０００１】
本発明は、各種電子機器の操作部分などに搭載され、回転操作によって操作される回転型電子部品に関するものである。
【背景技術】
【０００２】
近年、各種電子機器は、小型軽量化が進み、それに搭載される各種電子部品も小型・軽量・薄型化などを要望されている。そして、機器の操作部分を構成する電子部品としては、操作つまみを回転操作して良好に操作できる回転型電子部品が搭載されることが多い。
【０００３】
このような従来の回転型電子部品につき、回転型エンコーダを例として、図１２〜図１５を用いて説明する。
【０００４】
図１２は従来の回転型電子部品である回転型エンコーダの断面図、図１３は同図１２のＡ−Ａ線における断面図、図１４は同要部であるケースの上面図である。
【０００５】
同図において、１は、外形が略正方形で上面視円形の凹部を有する成型樹脂製のケースで、その凹部の底部中央位置には、円形貫通孔１Ａが設けられている。
【０００６】
そして、このケース１には、金属薄板から各々構成された四本の弾性接点２〜５が独立状態に径方向に並べてインサート成形固定されている。弾性接点２〜５の各一端側は、上記凹部底面に対し斜め上方に傾斜して曲げられ、その先端部分に接点部２Ａ〜５Ａが形成されている。また、それらの各他端は、ケース１の外側面から外方に突出しており、その突出部が、端子部２Ｂ〜５Ｂを構成している。なお、弾性接点２〜５における一端側の曲げ加工は、インサート成形後に、凹部の底部に設けられた矩形状の窓部１Ｂを介して行われる。
【０００７】
そして、６は成形樹脂製の回転体で、外形円形に形成された下方筒部６Ａ、中間のフランジ部６Ｂ、外形円形に形成された上方筒部６Ｃから構成され、その上下に繋がる中央孔６Ｄは、上面視六角形に形成されている。また、フランジ部６Ｂ下面には、金属製の回転接点板７がインサート成形で固定されている。この回転接点板７は、所謂アブソリュートタイプの接点パターン形状に構成され、下面側が露出状態となっている。
【０００８】
そして、上記回転体６は、下方筒部６Ａがケース１の円形貫通孔１Ａに回転可能に挿通保持され、かつ中間のフランジ部６Ｂ外周下面が、ケース１の凹部外周部に形成してある段部１Ｃ上に支持されてケース１の凹部内に回転可能に収容されている。この収容状態で、上記各弾性接点２〜５の接点部２Ａ〜５Ａは、各々フランジ部６Ｂ下面に弾接状態となっている。
【０００９】
そして、８は、上方平坦部８Ａの中央に円形孔からなる軸受部８Ｂを備えた金属板製のカバーであり、ケース１の凹部の開口部分上を上方平坦部８Ａで覆うように配され、上方平坦部８Ａから延設された脚部８Ｃがケース１外側面を抱き込むように曲げ加工されてケース１に結合されている。このとき、上記軸受部８Ｂは、円形貫通孔１Ａに上下で位置が合わせられ、上記軸受部８Ｂ内に回転体６の上方筒部６Ｃが回転可能に保持されている。また、ケース１の窓部１Ｂは、脚部８Ｃで下方側から覆われた状態になっている。
【００１０】
上記のように従来の回転型エンコーダは構成され、各種電子機器などには、上面視六角形の中央孔６Ｄに、対応する断面六角形の操作軸（図示せず）が挿通状態とされて搭載される。
【００１１】
そして、その動作としては、上記図示しない操作軸を回転操作して回転体６を回転させて、各弾性接点２〜５の接点部２Ａ〜５Ａの弾接位置を変え、各端子部２Ｂ〜５Ｂの導通状態を検出するものであり、次に、その動作状態について前述の図１３に示す状態から回転体６を時計廻り方向に回転させた場合について図１５に示す出力状態図を用いて簡単に説明する。
【００１２】
まず、図１３に示す状態では、最内周に配置されたコモン用の弾性接点２の接点部２Ａのみが回転接点板７上に弾接し、その他三つの信号用の弾性接点３〜５の接点部３Ａ〜５Ａは、樹脂からなるフランジ部６Ｂ下面に弾接している。つまり、コモン用の端子部（ＣＯＭ）２Ｂと信号用の各端子部（＃Ａ〜＃Ｃ）３Ｂ〜５Ｂは、いずれも導通していない状態となっており、その状態が図１５の１ポジション目に対応する。
【００１３】
そして、回転体６を時計廻りで４５°回転させると、弾性接点２の接点部２Ａに加えて最外周の弾性接点３の接点部３Ａが回転接点板７上に移動して弾性接点２、３間が導通状態となり、図１５の２ポジション目に示すように、コモン用の端子部（ＣＯＭ）２Ｂと信号用の端子部（＃Ａ）３Ｂとが導通した状態に移行する。
【００１４】
続いて、回転体６を時計廻りで４５°回転させると、図１５の３ポジション目に示すように、上記の２つに加え弾性接点４の接点部４Ａも回転接点板７上に移動した状態となって、弾性接点２〜４が導通状態となり、コモン用の端子部（ＣＯＭ）２Ｂと信号用の各端子部（＃Ａ、＃Ｂ）３Ｂ、４Ｂのいずれもが導通した状態に移行する。
【００１５】
さらに、続けて回転体６を上記方向で回転させていくと、図１５の４ポジション目に示すように、弾性接点３の接点部３Ａは回転接点板７上からフランジ部６Ｂ下面の絶縁樹脂上に移動して弾性接点２と４のみの導通状態となり、コモン用の端子部（ＣＯＭ）２Ｂと信号用の端子部（＃Ｂ）４Ｂのみが導通した状態に移行する。
【００１６】
以下同様に、回転体６の時計廻りへの回転により、５ポジション目でコモン用の端子部（ＣＯＭ）２Ｂと信号用の端子部（＃Ｂと＃Ｃ）４Ｂ、５Ｂが導通状態に移行し、６ポジション目でコモン用の端子部（ＣＯＭ）２Ｂと信号用の端子部（＃Ａ〜＃Ｃ）３Ｂ〜５Ｂの全てが導通状態に、７ポジション目でコモン用の端子部（ＣＯＭ）２Ｂと信号用の端子部（＃Ａと＃Ｃ）３Ｂと５Ｂのみが導通状態に、８ポジション目でコモン用の端子部（ＣＯＭ）２Ｂと信号用の端子部（＃Ｃ）５Ｂのみが導通状態に移行していき、４５°で設定された各ポジションおきに異なる出力状態に切り換わる。
【００１７】
従来の回転型エンコーダは、上記のような構成のものであった。
【００１８】
なお、この出願の発明に関連する先行技術文献情報としては、例えば、特許文献１が知られている。
【特許文献１】特開平０８−３１３３０１号公報
【発明の開示】
【発明が解決しようとする課題】
【００１９】
上記従来の回転型電子部品である回転型エンコーダは、径方向に並べて配設された弾性接点２〜５に対し、３６０°の全周で８ポジションの回転角度位置が検出可能なように回転接点板７を構成しなければならず、径方向に大きくなり易いとう課題があった。
【００２０】
本発明は、このような従来の課題を解決するものであり、従来のものよりも外形が小型化できる接点部分の構成となされた回転型エンコーダなどに代表される回転型電子部品を提供することを目的とする。
【課題を解決するための手段】
【００２１】
上記目的を達成するために本発明は、以下の構成を有するものである。
【００２２】
本発明の請求項１に記載の発明は、凹部を備えた絶縁性のケースと、上記ケースの凹部上を覆う金属製のカバーと、上記ケースの凹部内に固定状態で構成された接点パターン部と、上記ケースの凹部内に回転可能に配された回転接点体とを備え、上記回転接点体は、上記接点パターン部に係合する第一弾性接点および、その第一弾性接点に電気的導通状態で上記カバーの下面に常時弾接する第二弾性接点を備え、上記回転接点体の回転で、上記第一弾性接点の上記接点パターン部への係合位置が変わり、上記接点パターン部に接続された導出部と上記カバーに構成された端子部との間で出力状態が検出できる回転型電子部品であり、第二弾性接点が常時弾接摺動するカバーをコモン用の固定接点として使用できて、接点パターン部内にコモン用の固定接点を配置せずともよくなるため、接点パターン部内には信号用の固定接点となる導電部を効率よく配置したものにでき、製品外形の小型化が図れるという作用を有する。
【００２３】
請求項２に記載の発明は、請求項１記載の発明において、接点パターン部がケースの凹部の内底面に配されると共に、複数の第一弾性接点と第二弾性接点とが、同一径の位置で弾接する設定とされたものであり、最も省スペースで、接点パターン部構成がなされた外形の小さいものに実現できるという作用を有する。
【００２４】
請求項３に記載の発明は、請求項２記載の発明において、接点パターン部が、導出部を有する導電部、絶縁部の繰り返しで構成され、回転操作に伴い、二つの第一弾性接点の内、一方が一つの導電部上に弾接し、他方がその一つの導電部に対し回転操作方向とは逆の後方側に隣り合う絶縁部に弾接した状態から、上記二つの第一弾性接点が上記一つの導電部上に弾接した状態となり、さらに回転操作すると、上記第一弾性接点の他方は上記一つの導電部上に弾接した状態を維持し、先に上記一つの導電部上に弾接していた上記第一弾性接点の一方が、上記一つの導電部に対し回転操作方向の前方側に隣り合う絶縁部に弾接した状態に移行する接点部分の構成とされたものであり、カバーの端子部および各導電部の導出部の電気的接離状態が、回転操作角度位置で異なる、所謂アブソリュートタイプの外形の小さいエンコーダが実現できるという作用を有する。
【００２５】
請求項４に記載の発明は、請求項１記載の発明において、カバーは、第二弾性接点の摺動する円周上に窪みを有し、上記窪み上を上記第二弾性接点が摺動する際、節度感触が得られる構成とされたものであり、カバーの下面を摺動する第二弾性接点を共用して、簡素な構成で操作感触が得られるものにできるという作用を有する。
【発明の効果】
【００２６】
以上のように本発明によれば、接点部分の構造を工夫したことにより、従来のものよりも外形が小型化できる回転型電子部品が得られるという有利な効果が得られる。
【発明を実施するための最良の形態】
【００２７】
以下、本発明の実施の形態について、図１〜図１１を用いて説明する。
【００２８】
なお、従来の技術の項で説明した構成と同一構成の部分には同一符号を付して、詳細な説明を簡略化する。
【００２９】
（実施の形態）
図１は本発明の一実施の形態による回転型電子部品である回転型エンコーダの断面図、図２は同要部である回転接点体付きの回転体の上面図、図３は同要部であるケースの上面図、図４は同カバーを除いた状態の上面図である。なお、図１は、図４に示すＡ−Ａ線での断面図を図示している。
【００３０】
同図において、２１は、上方開口の凹部を備えた絶縁樹脂製のケースで、その内底面には、四つの固定接点２２〜２５がインサート成形で固定され、それら固定接点２２〜２５とそれらの間に露出するケース２１内底面の樹脂面で接点パターン部２６が略リング状に構成されている。その接点パターン部２６の中央位置にあたるケース２１の内底面には、円形貫通孔２１Ａが配設されている。なお、詳細は後述するが、上記接点パターン部２６は、従来と同じ３ｂｉｔ（８ポジション）のアブソリュートエンコーダの出力が得られる構成となる。
【００３１】
そして、３１は、ケース２１を図示しない脚部で外方から抱き込むようにしてケース２１に結合された金属板製のカバーである。そのケース２１の開口部分を覆う上方平坦部３２には、円形孔からなる軸受部３３が、円形貫通孔２１Ａと中心位置を合わせて同軸上に配されている。そして、凹部内底面に対応するカバー３１の軸受部３３周囲の下面は、平坦な面で構成されている。また、このカバー３１には、端子部３４が一体に形成されている。
【００３２】
そして、４１は、外形円形の上方筒部４１Ａがカバー３１の軸受部３３に挿通保持され、同じく外形円形の下方筒部４１Ｂがケース２１の円形貫通孔２１Ａに挿通保持されて、ケース２１の凹部内に回転可能に収納された筒状の成形樹脂からなる回転体である。その中央孔４１Ｃは、上面視六角形に構成されている。
【００３３】
そして、この回転体４１の中間部には、インサート成形により回転接点体５１が固定されている。
【００３４】
この回転接点体５１は、弾性金属薄板製で、周方向に向かって延設形成されている二つの第一弾性接点５２、５３と一つの第二弾性接点５４が一体に形成されている。それら弾性接点５２〜５４の先端位置は、回転接点体５１の回転中心軸から同一距離の位置で弾接するように設定されている。また、第一弾性接点５２と５３は、共に曲げ加工されて下方側に傾斜し、第二弾性接点５４は、曲げ加工されて上方側に傾斜している。
【００３５】
そして、第一弾性接点５２と５３は、接点パターン部２６上に弾接している先端どうし間の角度は、周方向において角度Ａとなるように設定されている。一方、第二弾性接点５４の先端は、カバー３１の下面に弾接している。
【００３６】
ここで、従来と同じ３ｂｉｔ（８ポジション）のアブソリュートエンコーダの出力が得られる構成とされた接点パターン部２６について説明する。
【００３７】
接点パターン部２６は、ケース２１の円形凹部の内底面に一つの円形リング状で構成され、そのリング構成としては、反時計廻り方向で、露出した固定接点２２からなる導電部、ケース２１の内底面からなる絶縁部、露出した固定接点２３からなる導電部、ケース２１の内底面からなる絶縁部、露出した固定接点２４からなる導電部、ケース２１の内底面からなる絶縁部、露出した固定接点２５からなる導電部、ケース２１の内底面からなる絶縁部で構成されている。
【００３８】
そして、四つの固定接点２２〜２５の導電部は、同一の角度範囲で設定され、その角度としては、第一弾性接点５２と５３の各先端どうしの弾接角度Ａよりも広い角度に設定されている。つまり、各固定接点２２〜２５の一つの上に、第一弾性接点５２と５３とが同時に弾接可能となっている。また、各固定接点２２〜２５は、電気的独立状態に上記状態で固定されると共に、各々から導出された端子部２２Ａ〜２５Ａは、ケース２１の外側部から各々外方に突出している。
【００３９】
また、それらの間に位置する絶縁部としてのケース２１内底面の部位どうしも同じ角度で設定され、その絶縁部の角度としては、一つの絶縁部に対し第一弾性接点５２と５３とが同時に弾接状態とならない上記角度Ａよりも狭い角度範囲に設定されている。
【００４０】
上記導電部と絶縁部の各角度で、かつその配置を繰り返したものとすると、各固定接点２２〜２５の内のいずれか一つの上に、常に第一弾性接点５２と５３の一方が位置する構成にできる。
【００４１】
当該実施の形態による回転型エンコーダは、以上のように構成され、回転体４１の上面視六角形の中央孔４１Ｃに、対応する操作軸（図示せず）などを挿通して回転操作可能なものである。
【００４２】
次に、その動作について図面を用いて説明する。
【００４３】
図５は、動作に伴う出力状態を示す図で、図６〜図９が、その際の各ポジション位置での動作状態を模式的に示す図である。なお、図６〜図９は、見易くするため、接点パターン部２６上における第一弾性接点５２と５３の弾接位置のみを図示したもので、例えば、１ポジション目の状態に相当する前述の図４は、図６のように図示される。
【００４４】
その図６に示すように、１ポジション目では、第一弾性接点５２と５３は、共に露出状態の固定接点２２の導電部上に弾接している。一方、第二弾性接点５４の先端は、前述したようにカバー３１の下面に弾接している。
【００４５】
上記１ポジション目の状態では、図５の１ポジション目の欄に示すように、カバー３１の端子部３４と固定接点２２の端子部（＃Ａ）２２Ａのみが回転接点体５１を介して導通状態に検出できる。
【００４６】
なお、図６に示す状態から回転体４１を反時計廻り方向に回転させ、図中で左側に位置する第一弾性接点５２が、上記固定接点２２の反時計廻り方向側に隣り合う固定接点２３に接触するまで、および、同様に時計廻り方向に回転させた場合には、図中で右側に位置する第一弾性接点５３が、上記固定接点２２の時計廻り方向側に隣り合う固定接点２５に接触するまでが、上記１ポジション目の出力状態が維持される区間である。その角度は従来同様４５°である。このとき、上記回転体４１の回転に伴い、上記第一弾性接点５２または５３の弾接位置が、上記固定接点２２上から、固定接点２２と隣り合う絶縁部上に移動するが、他方の第一弾性接点５３または５２は、上記固定接点２２上に弾接し続けているため、上記１ポジション目の出力状態が維持される。
【００４７】
なお、以後、回転体４１を反時計廻り方向で回転させた際の動作を説明する。
【００４８】
図６に示す状態から、回転体４１を反時計廻り方向で回転させると、上記固定接点２２上に弾接している前方側の第一弾性接点５２が、固定接点２２と２３間の絶縁部上に移って摺動していき、固定接点２３に接触する。その接触した時点で、２ポジション目の出力状態に切り換わる。このとき、後方側の第一弾性接点５３は、角度Ａを保って固定接点２２上に位置している。
【００４９】
その２ポジション目は、図７に示すように、第一弾性接点５２および５３が、それぞれ固定接点２３および２２に弾接した状態、つまり固定接点２３と２２の間の絶縁部をまたぐように第一弾性接点５２および５３が、固定接点２３と２２に弾接している状態の区間である。その出力状態は、カバーの端子部３４に対し、カバーの端子部３４と固定接点２２、２３の端子部（＃Ａ、＃Ｂ）２２Ａ、２３Ａが回転接点体５１を介して導通状態となる区間である。
【００５０】
続いて回転体４１を反時計廻り方向に回転させると、図８に示すように、第一弾性接点５２および５３が共に固定接点２３の導電部上に弾接する３ポジション目に移行する。その出力状態としては、カバー３１の端子部３４と固定接点２３の端子部（＃Ｂ）２３Ａのみが回転接点体５１を介して導通状態となる区間である。なお、この３ポジション目では、前方の第一弾性接点５２は固定接点２３上を弾接摺動しているため、後方側となる第一弾性接点５３の弾接位置が、固定接点２２の導電部上から固定接点２２と２３間の絶縁部上に移動した時点から始まる。
【００５１】
続いて、反時計方向への回転操作をすると、前方の第一弾性接点５２が固定接点２４に、後方の第一弾性接点５３が固定接点２３に弾接状態となる図９に示す４ポジション目となる。この４ポジション目では、カバー３１の端子部３４に対し、二つの固定接点２３、２４の端子部（＃Ｂ、＃Ｃ）２３Ａ、２４Ａが回転接点体５１を介して導通状態となる区間である。
【００５２】
以下同様に、図示は省略するが、５ポジション目で二つの第一弾性接点５２、５３が共に固定接点２４に弾接し、カバー３１の端子部３４に対し、端子部（＃Ｃ）２４Ａのみの導通状態、６ポジション目では、前方の第一弾性接点５２が固定接点２５に、後方の第一弾性接点５３が固定接点２４に弾接し、カバー３１の端子部３４に対し、各端子部（＃Ｃ、＃Ｄ）２４Ａ、２５Ａの二つが導通状態となる。さらに、同様に７ポジション目で二つの第一弾性接点５２、５３が共に固定接点２５に弾接した状態、８ポジション目で前方の第一弾性接点５２が固定接点２２に、後方の第一弾性接点５３が固定接点２５に弾接した状態となり、各々に応じた出力状態が得られ、さらに回転させると、上記１ポジション目の状態に戻る。
【００５３】
以上のように、当該実施の形態によるものは、上記１ポジション目から８ポジション目で異なる出力状態が得られる所謂アブソリュート式のエンコーダの仕様のものとなる。
【００５４】
このとき、第二弾性接点５４を常時カバー３１の下面に弾接させてカバー３１をコモン接点用部材として共用する構成としたため、信号パターン部２６内にコモン接点を配さずとも済む。これにより、上記出力状態が得られる信号パターン部２６は、導電部と絶縁部を周方向で繰り返して効率よく配置した一重の簡素なリング状のものにでき、さらに信号パターン部２６に対して二つの第一弾性接点５２、５３を同一径の位置で弾接摺動させる構成であるため、最も省スペースの径が小型化されたものにできる。
【００５５】
さらなる改良点として、構成部品点数を増加させずに、簡素な構成で回転操作時の感触を付加することも可能であり、次に、その構成について図１０および図１１を用いて以下に説明する。
【００５６】
同図に示すように、その構成としては、上方平坦部７２において第二弾性接点５４の摺動する円周位置に合わせて窪み７２Ａを配したカバー７１の構成とするのみである。
【００５７】
その窪み７２Ａは、カバー７１の下面から上面に向かって圧縮加工または突き出し加工されて形成され、その配置位置は、上記各ポジションの中央角度位置に対応する八箇所に上記円周に直交するよう放射直線状に配されている。そして、各窪み７２Ａの幅は、第二弾性接点５４の先端弾接箇所が若干窪み７２Ａ内に落ち込む幅に配してある。
【００５８】
そして、上記構成とすれば、回転操作に伴いカバー７１の下面を弾接摺動する第二弾性接点５４が、窪み７２Ａ内に落ち込む時およびそこから離脱する時に、回転操作力が変化し、それが回転操作時の節度感触として感じられるものとなる。なお、窪み７２Ａによる構成としたのは、第二弾性接点５４の跳躍現象を抑えるためである。
【００５９】
以上のように本実施の形態による回転型電子部品の回転型エンコーダは、コモン接点となる第二弾性接点５４をカバー３１（７１）に弾接させることにより、接点パターン部２６の構成自由度を向上させ、しかも接点パターン部２６を独自構成のものとしているため、外形の小さいものが容易に実現できる。
【００６０】
なお、上記には操作軸挿入タイプの回転型エンコーダを例として説明したが、操作軸付きのものとしてもよい。さらに８ポジションを例としたが８ポジション以外でもよい。
【００６１】
また、コモン接点となる第二弾性接点５４をカバー３１に弾接させるという本発明の思想は、上記に説明した接点パターン部２６の構成のみに限られず、他の接点パターン部の構成、例えばインクリメンタル式エンコーダに対応するもの等、さらには回転型エンコーダ以外の回転型電子部品にも適用可能である。
【産業上の利用可能性】
【００６２】
本発明による回転型電子部品は、従来のものよりも外形が小型化できる接点構成となされた回転型エンコーダなどが容易に実現できるという効果を有し、各種電子機器の回転操作によって操作される操作部分の構成時等に有用である。
【図面の簡単な説明】
【００６３】
【図１】本発明の一実施の形態による回転型電子部品である回転型エンコーダの断面図
【図２】同要部である回転接点体付きの回転体の上面図
【図３】同要部であるケースの上面図
【図４】同カバーを除いた状態の上面図
【図５】同出力状態を示す図
【図６】同１ポジション目の動作状態を模式的に示す図
【図７】同２ポジション目の動作状態を模式的に示す図
【図８】同３ポジション目の動作状態を模式的に示す図
【図９】同４ポジション目の動作状態を模式的に示す図
【図１０】同動作時に節度感触が得られる構成とされたカバーの下面図
【図１１】同カバーと第二弾性接点の接点部の係合状態を示す断面図
【図１２】従来の回転型電子部品である回転型エンコーダの断面図
【図１３】同図１２のＡ−Ａ線における断面図
【図１４】同要部であるケースの上面図
【図１５】同出力状態を示す図
【符号の説明】
【００６４】
２１  ケース
２１Ａ  円形貫通孔
２２〜２５  固定接点
２２Ａ〜２５Ａ  固定接点の端子部
２６  接点パターン部
３１、７１  カバー
３２、７２  上方平坦部
３３  軸受部
３４  カバーの端子部
４１  回転体
４１Ａ  上方筒部
４１Ｂ  下方筒部
４１Ｃ  中央孔
５１  回転接点体
５２、５３  第一弾性接点
５４  第二弾性接点
７２Ａ  窪み
【図１】
2005285600.tif 000003
【図２】
2005285600.tif 000004
【図３】
2005285600.tif 000005
【図４】
2005285600.tif 000006
【図５】
2005285600.tif 000007
【図６】
2005285600.tif 000008
【図７】
2005285600.tif 000009
【図８】
2005285600.tif 000010
【図９】
2005285600.tif 000011
【図１０】
2005285600.tif 000012
【図１１】
2005285600.tif 000013
【図１２】
2005285600.tif 000014
【図１３】
2005285600.tif 000015
【図１４】
2005285600.tif 000016
【図１５】
2005285600.tif 000017